(57)【要約】【課題】摘手を介して慢性的に作用する負荷の下でも、その耐久性を向上させることができるハンドルを備える魚釣用リールを提供すること【解決手段】リール本体１２ａ内部に収容された巻取駆動機構を駆動するべく、リール本体に回転可能に支持された腕部４４と、この腕部４４に取付られた支軸４６と、この支軸４６に回転可能に支持された摘手４８とで構成されたハンドル１６を備える魚釣用リール１０であって、前記支軸４６は、前記腕部４４に取付固定される固定部５０と、前記腕部に対する支軸の位置決めを行う位置決め部５２と、この位置決め部を境にして前記固定部５０の反対側に形成され、前記摘手４８を回転可能に支える摘子支持部５４とを有し、前記固定部５０の外径を、少なくとも前記固定部５０から離隔した側の摘手支持部の端部５８の外径よりも大径に形成した魚釣用リール。【選択図】      図２
2006121918.tif 000002
【特許請求の範囲】
【請求項１】
リール本体内部に収容された巻取駆動機構を駆動するべく、リール本体に回転可能に支持された腕部と、この腕部に取付けられた支軸と、この支軸に回転可能に支持された摘手とで構成されたハンドルを備える魚釣用リールであって、
前記支軸は、前記腕部に取付固定される固定部と、前記腕部に対する支軸の位置決めを行う位置決め部と、この位置決め部を境にして前記固定部の反対側に形成され、前記摘手を回転可能に支える摘子支持部とを有し、前記固定部の外径を、少なくとも前記固定部から離隔した側の摘手支持部の端部の外径よりも大径に形成したことを特徴とする魚釣用リール。
【請求項２】
前記摘手支持部は、前記位置決め部側の摘手端部近傍を支える第1支持部と、前記位置決め部から離隔した側の摘手端部近傍を支える第２支持部とを有し、前記固定部の外径をＡ、前記第1支持部の外径をＢ、前記第２支持部の外径をＣとしたときに、Ａ＞Ｂ≧Ｃの関係となる大きさに形成したことを特徴とする請求項１に記載の魚釣用リール。
【請求項３】
前記摘手支持部は、前記位置決め部側の摘手端部近傍を支える第1支持部と、前記位置決め部から離隔した側の摘手端部近傍を支える第２支持部とを有し、前記固定部の外径をＡ、前記第1支持部の外径をＢ、前記第２支持部の外径をＣとしたときに、Ａ＞Ｂ＞Ｃの関係となる大きさに形成したことを特徴とする請求項１に記載の魚釣用リール。
【発明の詳細な説明】
【技術分野】
【０００１】
本発明は、魚釣用リールに関し、特に、リール本体内部に収容された巻取駆動機構を駆動するハンドルを備える魚釣用リールに関する。
【背景技術】
【０００２】
従来、魚釣用リールは、リール本体にスプールを支持し、該リール本体内に巻取駆動機構を組込み、リール本体の一側に回転可能に支持したハンドルを回転して巻取り機構を駆動することにより、前記スプールに釣糸を巻回保持するのが一般的である。このようなハンドルは、一般に、駆動機構の回転軸からクランク状に延びる腕部と、この腕部の先端側すなわち回転軸から離隔した端部に取付けられた支軸と、この支軸に回転可能に支持され、釣り人が握持保持する摘手とで構成されている。
【０００３】
通常、支軸は、腕部に対してカシメや圧入等で取付固定され、摘手は、この支軸に軸受等を介して回転可能に支持されている。また、腕部に取付固定される支軸の固定部は、軸受等を介して摘手を回転可能に支持する摘手支持部よりも、若干細い径に形成されており、この摘手支持部と固定部との間に形成される段部が、腕部に対する支軸の位置決めを行う位置決め部として機能している。
【０００４】
一方、近年では、釣種および釣法が多様化してきている。特に、海でのルアーフィッシング等、対象魚種の魚体が大型化してきている傾向があり、これに伴い、大型の魚の引きに耐える強度を備えるべくリールに改良が重ねられ、リール自体の強度が向上することで巻上力が飛躍的に向上している。
【０００５】
このため、飛躍的に高まったリールの強度に対応して、長時間にわたる高速巻上操作での疲労を軽減すると共に、強い力で巻上けるためのハンドル組立体が開発されている（例えば、特許文献１参照）。
【特許文献１】特開平１１−２２０９８５号
【発明の開示】
【発明が解決しようとする課題】
【０００６】
しかし、特許文献１に記載のハンドル組立体では、上述のような通常のハンドルと同様に、腕部に対して摘手を回転自在に支える支軸が、摘手を支える摘手支持部よりも小径若しくは同径の結合部で腕部に結合しているため、高められたリール本体の強度と力強い巻取り操作とを可能とした摘手により、結合部が支点、摘手支持部が力点となって、支軸を腕部に対して位置決めする位置決め部の近傍に強い負荷が加わる。このため、長期にわたって使用することにより、位置決め部の近傍の材料に疲労が蓄積し、支軸が破断する不具合を生じる。
【０００７】
特に、ハンドルの摘手部分を力強く握持保持し易くするべく大型化すると、摘手支持部が長くなり、力点となる摘手支持部の端部と腕部との距離が大きくなる。このため、位置決め部の近傍に加わる負荷が更に増大し、この結果、支軸の耐久性が更に低くなる。
【０００８】
本発明は、このような事情に基づいてなされたもので、摘手を介して慢性的に作用する負荷の下でも、その耐久性を向上させることができるハンドルを備える魚釣用リールを提供することを目的とする。
【課題を解決するための手段】
【０００９】
上記目的を達成するため、本発明によると、リール本体内部に収容された巻取駆動機構を駆動するべく、リール本体に回転可能に支持された腕部と、この腕部に取付られた支軸と、この支軸に回転可能に支持された摘手とで構成されたハンドルを備える魚釣用リールであって、前記支軸は、前記腕部に取付固定される固定部と、前記腕部に対する支軸の位置決めを行う位置決め部と、この位置決め部を境にして前記固定部の反対側に形成され、前記摘手を回転可能に支える摘子支持部とを有し、前記固定部の外径を、少なくとも前記固定部から離隔した側の摘手支持部の端部の外径よりも大径に形成した魚釣用リールが提供される。
【発明の効果】
【００１０】
本発明の魚釣用リールによると、ハンドルの腕部に取付固定される固定部の外径を、少なくとも前記固定部から離隔した側の摘手支持部の端部の外径よりも大径に形成したことにより、巻き取り駆動時における固定部を支点、摘手支持部の端部を力点とした際に、作用点となる支軸の位置決め部の近傍の曲げ強度を向上させることができる。又、曲げ強度の向上により、摘手を介して慢性的に加わる荷重によって生じる材料疲労を主要因とした支軸の破損を防ぎ、摘手を介して慢性的に作用する負荷の下でも、その耐久性を向上することのできるハンドルを備える魚釣用リールが提供される。
【００１１】
上記摘手支持部が、上記位置決め部側の摘手端部近傍を支える第1支持部と、上記位置決め部から離隔した側の摘手端部近傍を支える第２支持部とを有し、上記固定部の外径をＡ、上記第1支持部の外径をＢ、上記第２支持部の外径をＣとしたときに、Ａ＞Ｂ≧Ｃの関係となる大きさに形成した場合には、力点となる第２支持部から離隔しかつ支点となる固定部に近づくにつれてその外径がＣからＡに順次強度が増大することとなり、支軸の強度をあまり必要としない第２支持部から最も強度が必要となる固定部の近傍までを順に大径化され、支軸に加わる荷重の大きさに応じた最適な大きさを容易に得ることができる。
【００１２】
また、固定部の外径Ａと第１支持部の外径Ｂと第２支持部の外径Ｃとを、Ａ＞Ｂ＞Ｃの関係となる大きさに形成した場合には、曲げ応力が集中する固定部の近傍における必要な強度を確保しながら、支軸の先端側を小径化することができ、摘手のサイズや軽量化に対して設計自由度が向上する。
【発明を実施するための最良の形態】
【００１３】
図１および図２は、本発明の好ましい実施形態を示す。  
本実施形態の魚釣用リールは、スピニングリール１０として形成してあり、剛性構造のリール本体１２ａと、リール本体１２ａから延出する脚部１２ｂと、脚部１２ｂの端部に形成され且つ釣竿に取り付けられる竿取付部１２ｃとを有している。リール本体１２ａ内には、スプール１４に釣糸を巻回するための巻取駆動機構が設けられている。具体的には、この巻取駆動機構は、リール本体１２ａ内に回転可能に支持され、一端に結合したハンドル１６をリール本体１２ａに対して回転自在に支える回転軸１８を有する。この回転軸１８はドライブギア２０と一体構造に形成してあり、このドライブギア２０にはピニオンギア２２が噛合している。
【００１４】
ピニオンギア２２は、回転軸１８に対して直交する方向に延び且つリール本体１２ａに２つの軸受２４（１つのみを示す）を介して回転可能に支持された軸筒（回転軸筒）２６に設けられている。また、軸筒２６の先端部には、ベール２８および釣糸案内部３０を備えたロータ３２が一体的に取り付けられている。この軸筒２６を、回転軸１８と直交する方向に延在するスプール軸３４が貫通している。このスプール軸３４は、軸筒２６と同心的に配されており、オシレーティング機構３６により、回転軸１８と直交する方向すなわち筒軸２６の軸方向に沿って軸筒２６内を前後動することができる。このスプール軸３４の先端部に、釣糸が巻回されるスプール１４が取り付けられる。
【００１５】
オシレーティング機構３６は、回転軸１８と一体回転する歯車（図示しない）に噛合する連動歯車３８を有するいわゆるギヤ方式のものであり、連動歯車３８に突設され且つ連動歯車３８の回転中心軸から偏心して位置する係合突起（図示しない）を、スプール軸３４の後端部に取り付けられた摺動子４０のカム溝（図示しない）に係合させ、連動歯車３８が回転したときに、摺動子４０を図示しないガイドレールに沿って前後方向に案内することができる。このようなオシレーティング機構３６は、回転軸１８がハンドル１６の回転操作によって回転されると、回転軸１８上の歯車１９と噛み合う連動歯車３８が回転し、それに伴って、連動歯車３８の係合突起が回転すると共に、この係合突起に係合するカムの案内によって摺動子４０が前後に往復動する。したがって、摺動子４０に取り付けられたスプール軸３４が軸方向に沿って往復駆動（前後動）する。
【００１６】
このように形成された魚釣用スピニングリール１０は、ハンドル１６を回転操作して回転軸１８を回転させると、オシレーティング機構３６を介してスプール軸３４に取り付けられたスプール１４が前後に往復動するとともに、ドライブギア２０、ピニオンギア２２、軸筒２６を介してロータ３２が回転駆動される。これにより、スプール１４には、釣糸案内部３０を介して、釣糸が均等に巻回される。
【００１７】
なお、リール本体１２ａ内には、ロータ３２の逆回転（釣糸をスプールから繰出す方向の回転）を防止する周知の一方向クラッチを備えた逆転防止機構が配置されており、この逆転防止機構を、リール本体１２ａの後端壁部に設けた切換レバー４２を通じて切換操作し、ロータ３２が正逆転可能な状態と、正転可能でかつ逆転不能の状態とに切換えることができる。ロータ３２がいずれの状態にあっても、ハンドル１６を正転方向（釣糸をスプールに巻き取る方向の回転）に回転すると、図示しない復帰機構を介して、釣糸放出位置にあるベール２８は、図１に示す釣糸巻取位置に復帰することができる。
【００１８】
図１および図２に示すように、このような巻取駆動機構の回転軸１８を回転する本実施形態のハンドル１６は、回転軸１８に基端部を着脱可能に取付けられた例えば金属製の腕部４４と、この腕部４４の先端部に基端部を取付固定された例えば金属製の支軸４６と、この支軸４６上に回転可能に支持された例えば合成樹脂材料あるいは木材等の天然材料製の摘手４８とを備える。
【００１９】
図２に詳細に示すように、支軸４６は、腕部４４の先端部に回転軸１８（図１）の軸線と平行に貫通させて形成した取付孔４４ａに圧入される固定部５０と、この固定部５０に隣接した位置で取付孔４４ａよりも大径のフランジ状に形成された位置決め部５２と、この位置決め部５２を境にして固定部５０の反対側に形成された摘手支持部５４とを有する。
【００２０】
この位置決め部５２は、取付孔４４ａの周縁部に形成される腕部４４の平坦面４５に当接し、腕部４４に対する支軸４６自身の取付位置を規定してカシメられた固定部５０の端部との間で腕部４４を挟持すると共に、平坦面４５したがって腕部４４と摘手４８との間に所定の間隙をもって保持し、摘手４８の滑らかな回転を確保する。
【００２１】
また、摘手４８を回転自在に支える摘手支持部５４は、位置決め部５２側の摘手４８の端部近傍を支える第1支持部５６と、位置決め部５２から離隔した側で摘手４８の端部近傍を支える第２支持部５８とを有し、本実施形態ではボール軸受で形成した第１軸受６０および第２軸受６２を介して摘手４８を回転自在に支えている。本実施形態では、これらの固定部５０と、第１，第２支持部５６，５８とは、固定部５０の外径をＡ、第1支持部５６の外径をＢ、第２支持部５８の外径をＣとしたときに、Ａ＞Ｂ＞Ｃの関係となる大きさに形成してある。
【００２２】
このような摘手支持部５４に装着される摘手４８は、先端側すなわち腕部４４から離隔した側を僅かに大径にして、その全体を略Ｉ字状形状に形成してあり、軸方向に形成した貫通孔６４を通して摘手支持部５４上に装着される。この貫通孔６４を囲む周壁部には、摘手支持部５４の第１，第２支持部５６，５８に取付けられた軸受６０，６２の外輪を受入れる凹部６６，６８を形成してある。腕部４４側に形成されて第１支持部の軸受６０を受入れる凹部６６は腕部４４側に向けて軸方向に開口し、先端側すなわち腕部４４から離隔した側で第２支持部５８の軸受６２を受入れる凹部６８は、先端側に向けて軸方向に開口し、これらの軸方向開口を介して受入れた軸受６６，６８を、貫通孔６４との間に形成した段部６７，６９に当接させて、軸方向に位置決めする。
【００２３】
更に、この摘手４８の先端部には、凹部６８よりも大径の先端凹部７０を軸方向に開口させて形成してある。この先端凹部７０から止めねじ７２を挿入し、支軸４６の先端に形成したねじ孔にねじ込むことにより、それぞれ肩部６９，６７に当接した軸受６２，６０を介して、摘手４８が支軸４６の位置決め部５２と止めねじ７２のヘッド部との間で強固に挟持される。本実施形態であｈ、この先端凹部７０の開口部は、プラグ７４を螺合されて閉じられ、内部に水、塵埃等の異物が浸入するのが防止されている。
【００２４】
このように形成されたハンドル１６は、先端側に設けた摘手４８を握持して回転することにより、摘手４８が支軸４６上を回転しつつ腕部４４と共に回転され、回転軸１８を回転駆動する。
【００２５】
本実施形態のハンドル１６は、摘手４８を回転自在に支える支軸４６が、上述のように、固定部５０の外径Ａと、第1支持部５６の外径Ｂと、第２支持部５８の外径Ｃとを、Ａ＞Ｂ＞Ｃの関係となる大きさに形成してあることにより、釣糸をスプール１４上に巻き取る際、力点となる第２支持部５８から離隔しかつ支点となる固定部５０に近づくにつれてその外径が最も小さいＣから最も大きいＡまで、順次強度が増大することとなる。これにより、支軸５４の強度をあまり必要としない第２支持部５８から最も強度が必要となる固定部５０の近傍までが順に大径化され、支軸４６に加わる荷重の大きさに応じた最適な大きさを容易に得ることができる。
【００２６】
これにより、落下時の直接的な衝撃による折損や、ハンドル１６の摘手４８を介して慢性的に加わる荷重によって生じる支軸４６の金属疲労を主要因とした破損を防ぎ、摘手４８を介して支軸に作用する衝撃や荷重などの様々な負荷の下でも、その耐久性を向上することができる。更に、曲げ応力が集中する固定部５０の近傍における必要な強度を確保しながら、支軸４６の先端側を小径化することができ、摘手４８のサイズや軽量化に対して設計自由度が向上する。
【００２７】
図３は、その変形例による支軸４６Ａを備えたハンドル１６を示す。なお、以下に説明する種々の実施形態あるいは変形例は、基本的には上述の実施形態と同様であり、同様な部位には同様な符号を付してその詳細な説明を省略する。
【００２８】
図３から明らかなように、この変形例による支軸４６Ａは、摘手支持部５４が大きな外径Ｂの第１支持部５６から小さな外径の第２支持部５８まで、滑らかに縮径するテーパ状に形成してあり、段部は形成されない。これにより、例えば摘手４８が支軸５４よりも柔軟な材料で形成さている場合に、第１支持部５６と第２支持部５８との間で、支軸５４に大きな曲げ応力が作用した場合であっても、応力集中による破損が防止される。
【００２９】
図４および図５は、摘手支持部５４の第１，第２支持部５６，５８を同じ大きさの外径に形成した実施形態を示す。  
図４に示す実施形態のハンドル１６は、摘手支持部５４を全長にわたって滑らかな円筒状形状を有し、第１，第２支持部５６，５８の外径Ｂ，Ｃを等しく、あるいは第２支持部５８を第１支持部５６よりも僅かに小径に形成した支軸４６Ｂを備える。固定部５０の外径Ａと、第1，第２支持部５６，５８の外径をＢ，Ｃとの関係は、Ａ＞Ｂ≧Ｃとなる。第２支持部５８には、第１支持部５６の軸受６０と同じ大きさの軸受６２が取付けられる。
【００３０】
このように固定部５０の外径Ａと、第１，第２支持部５６，５８の外径をＢ，ＣとをＡ＞Ｂ≧Ｃの関係となる関係に形成したことにより、力点となる第２支持部５８から離隔しかつ支点となる固定部５０に近づくにつれてその外径がＣからＡに順次強度が増大することとなり、支軸の強度をあまり必要としない第２支持部５８から最も強度が必要となる固定部５０の近傍までを順に大径化され、支軸４６Ｂに加わる荷重の大きさに応じた最適な大きさを容易に得ることができる。
【００３１】
図５は、図４に示すハンドル１６の変形例を示す。図４に示す実施形態と同様に、支軸４６Ｂは、滑らかな円筒状に形成した摘手支持部５４を有し、位置決め部５２側の第１支持部５６とこれと反対側の第２支持部５８とは外径が同径か、あるいは第２支持部５８の方が僅かに小径に形成されている。更に、摘手４８の貫通孔６４の内周面が、その全長にわたって摘手支持部５４上を摺動する平軸受として形成してあり、ワッシャ７６，７８により、軸方向の抜け止めが図られている。これらのワッシャ７６，７８は、それぞれ支軸４６Ｂの位置決め部５２および止めねじ７２のヘッド部よりも大径に形成してある。
【００３２】
この変形例における貫通孔６４の内周面あるいは摘手支持部５４の外周面に、摩擦係数を小さくするための手段として、例えば周方向溝あるいは潤滑剤の収容溝等の適宜の手段を設けることも可能である。
【００３３】
この変形例では、上述の各実施形態あるいは変形例のように、別個の軸受６０，６２を必要としないため、ハンドル１６の全体を軽量化し、部品点数および組立工程を簡略化して安価に製造することができる。また、摘手４８の交換も容易となる。
【図面の簡単な説明】
【００３４】
【図１】本発明の好ましい実施形態による魚釣用リールの側面図。
【図２】図１に示す魚釣用リールのハンドルの摘手を含む先端部分の断面図。図１に
【図３】図２の変形例によるハンドルの断面図。
【図４】他の実施形態によるハンドルの断面図。
【図５】図４のハンドルの変形例による断面図。
【符号の説明】
【００３５】
１０…魚釣用リール、１２ａ…リール本体、１４…スプール、１６…ハンドル、１８…回転軸、４４…腕部、４６…支軸、４８…摘手、５０…固定部、５２…位置決め図、５４…摘手支持部。
【図１】
2006121918.tif 000003
【図２】
2006121918.tif 000004
【図３】
2006121918.tif 000005
【図４】
2006121918.tif 000006
【図５】
2006121918.tif 000007